(57)【要約】【課題】所定の文書群における各文書の関係を表示し、所望の文書を閲覧出来ること。【解決手段】文書表示システムでは、文書サーバＡに保存されている文書を携帯端末Ｂにダウンロードし、その文書を携帯端末Ｂで閲覧する場合、ユーザーが指定した文書群（複数の文書から構成されたもの）に含まれる各々の文書の違いをユーザーが簡易に認識するようにする。具体的には、ユーザーが指定した文書群に含まれた各文書の特徴を示す特徴情報を抽出し、各々の文書の違いを特徴情報を用いて表示する。【選択図】図１
2010092323.tif 000002
【特許請求の範囲】
【請求項１】
文書を保存する保存部と、
当該保存部に保存されている文書から構成された所定の文書群において、当該文書群に含まれた各文書の特徴情報を抽出する抽出部と、
当該抽出部により抽出された前記特徴情報に対し、前記文書群に含まれた全文書における共通度合を判断する判断部と、
前記文書群に含まれた各文書を前記特徴情報を用いて表示し、且つ前記共通度合により前記特徴情報の表示方法を変化させる表示部と、
を有することを特徴とする文書表示システム。
【請求項２】
前記特徴情報は、各文書に出現する特徴語であり、
前記共通度合は、前記文書群に含まれた全文書における前記特徴語の出現文書数に基づいた度合である請求項１に記載の文書表示システム。
【請求項３】
前記抽出部は、各文書に出現する語の品詞を解析することにより、前記特徴語を抽出する請求項２に記載の文書表示システム。
【請求項４】
前記判断部は、各文書の履歴情報を考慮して前記共通度合を判断する請求項１乃至３の何れか１項に記載の文書表示システム。
【請求項５】
前記表示部は、前記共通度合により前記特徴情報の表示色を変化させる請求項４に記載の文書表示システム。
【請求項６】
前記表示部は、前記共通度合により前記特徴情報の表示サイズを変化させる請求項４に記載の文書表示システム。
【請求項７】
文書を保存する保存部と、
当該保存部に保存されている文書から構成された所定の文書群において、当該文書群に含まれた各文書の特徴情報を抽出する抽出部と、
前記文書群に含まれた基準文書の特徴情報と、前記文書群に含まれた前記基準文書以外の文書の特徴情報と、を比較し、前記基準文書以外の文書の特徴情報に対し、前記基準文書との共通度合を判断する判断部と、
前記文書群に含まれた各文書を前記特徴情報を用いて表示し、且つ前記共通度合により前記特徴情報の表示方法を変化させる表示部と、
を有することを特徴とする文書表示システム。
【発明の詳細な説明】
【技術分野】
【０００１】
本発明は文書を表示する文書表示システムに関する。
【背景技術】
【０００２】
近年、手軽に持ち運び、画面を通じて文書を閲覧出来る携帯端末が実用化されている。この携帯端末を通じて文書を閲覧する場合は、例えば文書が保存されているサーバにアクセスして携帯端末に文書データをダウンロードし、その上で携帯端末の画面で文書を閲覧する。
【０００３】
また、文書サーバには多数の文書が保存されており、この文書サーバ内をキーワード等により検索し、検索結果をもとにユーザーが指定した文書データを携帯端末にダウンロードするような場合もある。文書を検索する技術としては例えば特許文献１や特許文献２に記載された技術があり、当該技術を応用することにより、検索結果をもとにユーザーが指定した文書データを携帯端末にダウンロードすることが出来る。
【特許文献１】特開２００２−１４９９９号公報
【特許文献２】特開２００４−６２８０６号公報
【発明の開示】
【発明が解決しようとする課題】
【０００４】
ところで、文書サーバ内の所定の文書群に含まれる各々の文書の違いをユーザーが簡易に認識した上で、所定の文書をユーザーが指定して携帯端末で閲覧したいというニーズもある。しかし、特許文献１や特許文献２のような検索技術では、検索した各々の文書の違いを簡易な形態で示すことは出来ない。
【０００５】
そこで、本発明の目的は、所定の文書群における各文書の関係を表示し、所望の文書を閲覧出来る文書表示システムを提供することになる。
【課題を解決するための手段】
【０００６】
上記目的を達成するため、本発明に係る文書表示システムは、
文書を保存する保存部と、
当該保存部に保存されている文書から構成された所定の文書群において、当該文書群に含まれた各文書の特徴情報を抽出する抽出部と、
当該抽出部により抽出された前記特徴情報に対し、前記文書群に含まれた全文書における共通度合を判断する判断部と、
前記文書群に含まれた各文書を前記特徴情報を用いて表示し、且つ前記共通度合により前記特徴情報の表示方法を変化させる表示部と、
を有することを特徴とするものである。
【０００７】
また、本発明に係る文書表示システムは、
文書を保存する保存部と、
当該保存部に保存されている文書から構成された所定の文書群において、当該文書群に含まれた各文書の特徴情報を抽出する抽出部と、
前記文書群に含まれた基準文書の特徴情報と、前記文書群に含まれた前記基準文書以外の文書の特徴情報と、を比較し、前記基準文書以外の文書の特徴情報に対し、前記基準文書との共通度合を判断する判断部と、
前記文書群に含まれた各文書を前記特徴情報を用いて表示し、且つ前記共通度合により前記特徴情報の表示方法を変化させる表示部と、
を有することを特徴とするものである。
【発明の効果】
【０００８】
本発明に係る文書表示システムによれば、所定の文書群における各文書の関係を表示し、所望の文書を閲覧することが出来る。
【発明を実施するための最良の形態】
【０００９】
［文書表示システムの概要］図１は本発明に係る文書表示システムの概略図である。
【００１０】
文書表示システムは文書サーバＡと携帯端末Ｂから構成されている。図１に示す文書表示システムにおいて文書サーバＡと携帯端末Ｂは別体であるが、一体化されたものであっても良い。
【００１１】
文書サーバＡは大容量のデータを保存可能であり、文書サーバＡ内に複数の文書データ（書籍データ等）が保存されている。文書サーバＡはオフィス等に設置され、必要に応じて携帯端末Ｂと通信可能である。
【００１２】
携帯端末Ｂは、ユーザーが手軽に持ち運び可能な端末（電子ペーパーやモバイルパソコン等）である。携帯端末Ｂは内部に複数の文書を保存可能であり、携帯端末Ｂの表示部２０４において保存された文書が表示される。携帯端末Ｂに保存された文書のうち表示部２０４に表示させる文書は、選択部２０５を通じてユーザーが選択する。
【００１３】
また、携帯端末Ｂは文書サーバＡと通信可能であり、文書サーバＡに保存されている文書を必要に応じてダウンロードする。ダウンロードした文書は携帯端末Ｂ内に保存され、必要な場合にユーザーの選択により表示される。
【００１４】
なお、携帯端末ＢをＵＳＢやＩＥＥＥ１３９４で文書サーバＡに直に接続し、文書サーバＡに保存されている文書を文書サーバＡから携帯端末Ｂに転送させるようにしてもよい。また、無線ＬＡＮやＢｌｕｅｔｏｏｔｈを通じて文書を文書サーバＡから携帯端末Ｂに転送させても良い。
【００１５】
図２は図１に示す文書表示システムのブロック図であり、代表的な構成を示している。
【００１６】
まず、文書サーバＡの代表的な構成について説明する。
【００１７】
制御部１０１は文書サーバＡにおける各部の動作を制御するものであり、具体的にはＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等から構成される。
【００１８】
通信部１０２は、携帯端末Ｂとの間でデータを送信又は受信する。具体的には保存部１０３に保存された文書のデータを携帯端末Ｂに送信したり、携帯端末Ｂにおいて文書サーバＡからダウンロードしたい文書の情報を受信したりする。
【００１９】
保存部１０３は、複数の文書を保存しており、ハードディスク等、データを保存出来るものであれば良い。
【００２０】
抽出部１０４は、保存部１０３に保存されている各文書の特徴を示す特徴情報を抽出するものである。特徴情報を抽出する方法については後述する。
【００２１】
判断部１０５は、抽出部１０４により抽出された特徴情報が、所定の文書群に含まれた全文書において、どれだけ共通の情報となっているかを示す共通度合を判断するものである。特徴情報を抽出する方法と同様に、共通度合を判断する方法についても後述する。
【００２２】
制御部２０１は携帯端末Ｂにおける各部の動作を制御するものであり、具体的には文書サーバＡの制御部１０１と同様にＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等から構成される。
【００２３】
通信部２０２は、文書サーバＡとの間でデータを送信又は受信する。
【００２４】
保存部２０３は、文書サーバＡからダウンロードした文書等を保存するものであり、ハードディスク等、情報を保存出来るものであれば良い。
【００２５】
表示部２０４は、文書サーバＡからダウンロードした文書を表示する。表示部２０４はタッチパネル形式となっており、表示部２０４に表示された文書に対して書き込み等を行うことが出来る。表示部２０４は液晶、有機ＥＬ、プラズマ等、公知の表示手段である。
【００２６】
選択部２０５は、表示部２０４に表示させる文書を選択したり、携帯端末Ｂにおいて実行させる動作を選択したりする。
【００２７】
［特徴情報・共通度合を用いた文書表示］文書サーバＡに保存されている文書を携帯端末Ｂにダウンロードし、その文書を携帯端末Ｂで閲覧する場合、ユーザーが指定した文書群（複数の文書から構成されたもの）に含まれる各々の文書の違いをユーザーが簡易に認識した上で、所定の文書をユーザーが指定して携帯端末Ｂで閲覧したいというニーズがある。そこで、本発明に係る文書表示システムでは、ユーザーが指定した文書群に含まれた各文書の特徴を示す特徴情報を抽出し、各々の文書の違いをユーザーが簡易に携帯端末上で認識出来るように各文書を表示する。以下、この点について詳しく説明する。
【００２８】
図３は、文書の特徴情報と、その特徴情報の共通度合に基づき、文書群に含まれた各文書を携帯端末Ｂで表示するための文書サーバＡにおける動作を示すフローチャート図である。なお、図３における判断ステップ（ステップＳ１、Ｓ５、Ｓ７）は、文書サーバＡにおける制御部１０１により実行される。
【００２９】
まず、携帯端末Ｂにおいて、文書サーバＡの保存部１０３に保存されている複数の文書から所定の文書群がユーザーによって指定される。所定の文書群を指定する方法としては、例えば文書群が含まれたフォルダを指定する方法、書誌情報により文書群を絞り込んで指定する方法、キーワード検索により指定する方法等がある。
【００３０】
携帯端末Ｂにおいて所定の文書群がユーザーによって指定されると、文書サーバＡでは携帯端末Ｂから指定された情報を受信し、所定の文書群が指定されたか否か判断する（ステップＳ１）。例えば、図４に示すように文書サーバＡの保存部１０３には複数の文書が保存されており、その中で破線Ｘに示すように所定の範囲に含まれる文書群が携帯端末Ｂのユーザーによって指定される。
【００３１】
ステップＳ１において所定の文書群が指定されたと判断した場合（ステップＳ１；Ｙｅｓ）、次に文書群に含まれた各文書の特徴情報を抽出する（ステップＳ２）。
【００３２】
文書群に含まれた各文書の特徴情報は、例えば文書中に出現する特徴語である。特徴語とは、その文書の内容を示すものに成り得る語として認識されたものであり、助詞等はその文書の内容を示すものに成り得ないため、特徴語として認識されない。
【００３３】
文書中に出現する特徴語は、文書の内容に対して所定のプログラムにより形態素解析を実行し、また所定のプログラムにより文書に出現する語の品詞を解析することにより抽出される。文書に出現する語の品詞を解析することにより、助詞等は特徴語として認識されない。
【００３４】
例えば、ユーザーによって指定された所定の文書群に含まれる文書が以下に示す文書Ａ〜文書Ｄの４つであったとする。
文書Ａ：
「文書間の類似度を算出し、これにその他の関連情報を加味して関連度を求め、結果を表形式で出力する」
文書Ｂ：
「文書間の関連度を、あらかじめ類似度やその他の関連情報を組み合わせて計算しておき、サーバに保持する」
文書Ｃ：
「文書間の関連度をもとに、多数の文書に対して自動的にクラスタリングを行い、見やすくグラフで表示する」
文書Ｄ：
「文書間の類似度を、語の出現頻度を用いて計算しておく」
このような文書について形態素解析及び品詞解析を実行し、各文書の特徴語を抽出すると、以下のようになる。
文書Ａの特徴語：
「文書間」「類似度」「関連情報」「関連度」「表形式」
文書Ｂの特徴語：
「文書間」「類似度」「関連情報」「関連度」「サーバ」
文書Ｃの特徴語：
「文書間」「関連度」「自動的」「クラスタリング」「グラフ」
文書Ｄの特徴語：
「文書間」「類似度」「出現頻度」
以上のように各文書の特徴語を抽出すると、次に各々の特徴語に対して文書群に含まれた全文書における共通度合を判断する（ステップＳ３）。共通度合とは、例えば文書群に含まれた全文書における特徴語の出現文書数に基づいた度合である。例えば、文書群に含まれる全文書が上記文書Ａ〜文書Ｄの４つである場合、共通度合は、４つの文書における特徴語の出現文書数に基づいた度合となる。
【００３５】
図５（ａ）は、文書Ａ〜文書Ｄにおける特徴語と、その特徴語の出現文書数を示す説明図である。特徴語として抽出された「文書間」という語は、文書Ａ〜文書Ｄの全てにおいて出現しているため出現文書数は「４」となり、特徴語として抽出された「類似度」いう語は、文書Ａ、文書Ｂ、文書Ｄにおいて出現しているため、出現文書数は「３」となる。「表形式」、「サーバ」の特徴語の出現文書数は各々「１」である。
【００３６】
共通度合は、以下の式により算出することが出来る。
共通度合＝ｆ（ｔ）／Ｎ
ｆ（ｔ）：ｔという特徴語の出現文書数
Ｎ：全文書数
「文書間」という特徴語の共通度合は「１（＝４／４）」であり、「類似度」という特徴語の共通度合は「０．７５（＝３／４）」である。図５（ｂ）に文書Ａ〜文書Ｄにおける特徴語と、その特徴語の共通度合を示す。「表形式」、「サーバ」の特徴語の出現文書数は「０．２５（＝１／４）」である。
【００３７】
共通度合は、各文書の履歴情報を考慮して決定されてもよい。多くの閲覧者が見ている文書はより重要な文書であると判断でき、あまり多くの閲覧者が見ていない文書は重要ではない文書であると判断できる。従って、多くの閲覧者が見ている文書に対しては全体的に共通度合を低めに決定し、他の文書と共通しない独自性のある文書であるようにする。また、あまり多くの閲覧者が見ていない文書に対しては全体的に共通度合を高めに決定し、他の文書と共通する傾向の文書であるようにする。
【００３８】
ステップＳ３において共通度合を判断すると、文書サーバＡから携帯端末Ｂへ特徴情報（特徴語）と共通度合が送信される（ステップＳ４）。そして携帯端末Ｂの表示部２０４では受信した特徴情報を用いて各文書が表示される。
【００３９】
図６は、特徴語を用いて各文書を表示した表示部２０４の説明図である。図６では上述した文書Ａ〜文書Ｄが特徴語を用いて携帯端末Ｂの表示部２０４に表示されている。
【００４０】
図６で示すように携帯端末Ｂの表示部２０４では文書サーバＡから受信した共通度合により特徴語の表示方法を変化させている。即ち、共通度合の数値毎に特徴語の表示色を異ならせている。共通度合の数値が「１」のものは特徴語をＲｅｄ（赤）で表示し、共通度合の数値が「０．２５」のものは特徴語をＢｌｕｅ（青）で表示する。その他の数値のものは特徴語をＢｌａｃｋ（黒）で表示する。このように共通度合により特徴語の表示方法を異ならせることにより、各々の文書の違いをユーザーが簡易に携帯端末上で認識出来る。
【００４１】
なお、特徴語の表示色を変化させるだけでなく、共通度合が高い特徴語の表示サイズを小さくし、共通度合が低い特徴語の表示サイズを大きくするなど、特徴情報の表示サイズを変化させても良い。
【００４２】
図６に示すような表示に基づき、ユーザーは選択部２０５を通じてダウンロードしたい文書を選択する。タッチペンにより表示部２０４に表示されている文書を選択してもよい。
【００４３】
図３におけるステップＳ４において特徴情報及び共通度合を送信した後、携帯端末Ｂでは図６に示すような形態で各文書が表示部２０４に表示され、文書サーバＡでは携帯端末Ｂより何れかの文書が選択されたという選択情報を通信部１０２が受信したか否か判断する（ステップＳ５）。ステップＳ５において文書の選択情報を受信したと判断すると、文書を携帯端末Ｂに対して送信する（ステップＳ６）。
【００４４】
ステップＳ４において特徴情報及び共通度合を送信した後、所定時間経過しても文書が選択されたという選択情報を受信しなければ動作を終了する。
【００４５】
以上説明したように、本発明によれば特徴情報と共通度合により各々の文書の違いを表示することにより、所定の文書群における各文書の関係を認識した上で、必要な場合に所望の文書を携帯端末上で閲覧することが出来る。
【００４６】
［基準文書との関係を示した文書表示］携帯端末Ｂのユーザーが指定した基準文書に対して、所定の文書群に含まれる他の文書がどれだけ共通する特徴情報を有するかを携帯端末Ｂに表示することも出来る。以下、この点について詳しく説明する。
【００４７】
図７は、基準文書が指定された場合に、文書群に含まれた各文書を携帯端末Ｂで表示するための文書サーバＡにおける動作を示すフローチャート図である。なお、図７における判断ステップ（ステップＳ１１、Ｓ１３、Ｓ１６、Ｓ１８）は、文書サーバＡにおける制御部１０１により実行される。
【００４８】
まず、携帯端末Ｂにおいて、文書サーバＡの保存部１０３に保存されている複数の文書から所定の文書群がユーザーによって指定される。所定の文書群を指定する方法としては、例えば文書群が含まれたフォルダを指定する方法、書誌情報により文書群を絞り込んで指定する方法、キーワード検索により指定する方法等がある。
【００４９】
携帯端末Ｂにおいて所定の文書群がユーザーによって指定されると、文書サーバＡでは携帯端末Ｂから指定された情報を受信し、所定の文書群が指定されたか否か判断する（ステップＳ１１）。
【００５０】
ステップＳ１１において所定の文書群が指定されたと判断した場合（ステップＳ１１；Ｙｅｓ）、次に文書群に含まれた各文書の特徴情報を抽出する（ステップＳ２）。
【００５１】
文書群に含まれた各文書の特徴情報は、前述したように、例えば文書中に出現する特徴語である。
【００５２】
例えば、ユーザーによって指定された所定の文書群に含まれる文書が以下に示す文書Ａ〜文書Ｃの３つであったとする。
文書Ａ：
「文書間の類似度を算出し、これにその他の関連情報を加味して関連度を求め、結果を表形式で出力する」
文書Ｂ：
「文書間の関連度を、あらかじめ類似度やその他の関連情報を組み合わせて計算しておき、サーバに保持する」
文書Ｃ：
「文書間の関連度をもとに、多数の文書に対して自動的にクラスタリングを行い、見やすくグラフで表示する」
このような文書について形態素解析及び品詞解析を実行し、各文書の特徴語を抽出すると、以下のようになる。
文書Ａの特徴語：
「文書間」「類似度」「関連情報」「関連度」「表形式」
文書Ｂの特徴語：
「文書間」「類似度」「関連情報」「関連度」「サーバ」
文書Ｃの特徴語：
「文書間」「関連度」「自動的」「クラスタリング」「グラフ」
ステップＳ１２において所定の文書群に含まれた各文書の特徴情報（特徴語）を抽出すると、次に携帯端末Ｂから文書サーバＡに送信される情報により、基準文書が指定されたか否か判断する（ステップＳ１３）。ここでは文書Ａが基準文書として指定されたものとする。
【００５３】
次に基準文書（文書Ａ）の特徴情報と、所定の文書群に含まれた基準文書以外の文書（文書Ｂ及び文書Ｃ）の特徴情報と、を比較し、基準文書以外の文書の特徴情報に対し、基準文書との共通度合を判断する（ステップＳ１４）。ステップＳ１４における共通度合とは、基準文書以外の文書の特徴語が基準文書の特徴語となっているかどうかの結果である。
【００５４】
ステップＳ１４において共通度合を判断すると、文書サーバＡから携帯端末Ｂへ特徴情報（特徴語）と共通度合が送信される（ステップＳ１５）。そして携帯端末Ｂの表示部２０４では受信した特徴情報を用いて基準文書以外の文書が表示される。
【００５５】
図８は、特徴語を用いて各文書を表示した表示部２０４の説明図である。図６では上述した基準文書（文書Ａ）以外の文書である文書Ｂ、文書Ｃが特徴語を用いて携帯端末Ｂの表示部２０４に表示されている。
【００５６】
図８で示すように携帯端末Ｂの表示部２０４では文書サーバＡから受信した共通度合により特徴語の表示方法を変化させている。即ち、基準文書である文書Ａの特徴語にもなっている特徴語をＲｅｄ（赤）で表示し、基準文書である文書Ａの特徴語にはなっていない特徴語はＢｌｕｅ（青）で表示する。このように基準文書との共通度合により特徴語の表示方法を異ならせることにより、基準文書と共通するかどうかをユーザーが簡易に携帯端末上で認識出来る。なお、特徴語の表示色を変化させるだけでなく、特徴語の表示サイズを変化させても良い。
【００５７】
図８に示すような表示に基づき、ユーザーは選択部２０５を通じてダウンロードしたい文書を選択する。タッチペンにより表示部２０４に表示されている文書を選択してもよい。
【００５８】
図７におけるステップＳ１５において特徴情報及び共通度合を送信した後、携帯端末Ｂでは図８に示すような形態で各文書が表示部２０４に表示され、文書サーバＡでは携帯端末Ｂより何れかの文書が選択されたという選択情報を通信部１０２が受信したか否か判断する（ステップＳ１６）。ステップＳ１６において文書の選択情報を受信したと判断すると、文書を携帯端末Ｂに対して送信する（ステップＳ１７）。
【００５９】
ステップＳ１６において特徴情報及び共通度合を送信した後、所定時間経過しても文書が選択されたという選択情報を受信しなければ動作を終了する。
【００６０】
なお、本発明は当該実施の形態に限定されるものではなく、本発明の要旨を逸脱しない範囲における変更や追加があっても本発明に含まれる。
【００６１】
本実施の形態では、特徴情報として文書中に出現する特徴語を用いているが、必ずしもこれに限らず、例えば、文書の作成者、作成日時、作成者が定めた文書のカテゴリといった書誌的事項、文書中に使用されている図・表・グラフなどのオブジェクト、これらのオブジェクトの工数や文書のサイズに対する割合、文書のフォーマット（箇条書きなのか論文形式なのかプレゼン用使用なのか等）と特徴情報としてもよい。
【図面の簡単な説明】
【００６２】
【図１】本発明に係る文書表示システムの概略図である。
【図２】図１に示す文書表示システムのブロック図である。
【図３】文書の特徴情報と、その特徴情報の共通度合に基づき、文書群に含まれた各文書を携帯端末で表示するための文書サーバにおける動作を示すフローチャート図である。
【図４】文書における特徴語と、その特徴語の出現文書数や共通度合を示す説明図である。
【図５】特徴語を用いて各文書を表示した表示部の説明図である。
【図６】特徴語を用いて各文書を表示した表示部の説明図である。
【図７】基準文書が指定された場合に、文書群に含まれた各文書を携帯端末で表示するための文書サーバにおける動作を示すフローチャート図である。
【図８】特徴語を用いて各文書を表示した表示部の説明図である。
【符号の説明】
【００６３】
Ａ  文書サーバ
Ｂ  携帯端末
１０１、２０１  制御部
１０２、２０２  通信部
１０３、２０３  保存部
１０４  抽出部
１０５  判断部
２０４  表示部
２０５  選択部
【図１】
2010092323.tif 000003
【図２】
2010092323.tif 000004
【図３】
2010092323.tif 000005
【図４】
2010092323.tif 000006
【図５】
2010092323.tif 000007
【図６】
2010092323.tif 000008
【図７】
2010092323.tif 000009
【図８】
2010092323.tif 000010